(57)【要約】      （修正有）【課題】片側を盗難防止孔の内壁面に係止する設計を利用し、ロック操作の際にコンピュータケースの近くで行え、挿入角度が歪んでロック操作に影響を与えることなく簡単にロック及び盗難防止を可能とするコンピュータロックを提供する。【解決手段】コンピュータロックは、ロック体、ガイドシート３、ロックタンシート４、スプリング５、フックチューブ６、ロープセットを包含する。該フックチューブの前柱端縁より外向きにフック部６１１が延伸され、該フック部はコンピュータの盗難防止孔９１の内側壁９２に係止、位置決めされ、並びにキーのロック動作により、該ガイドシートを駆動して該ロックタンシートのロックタン４１を案内してロックタンを前伸させて該フックチューブ６の前柱６１のガイド溝に沿って該盗難防止孔９１に進入させることで、ロックと盗難防止の便利さを達成する。【選択図】図９
0003168275.tif 000002
【実用新案登録請求の範囲】
【請求項１】
コンピュータロックにおいて、ロック体、ガイドシート、ロックタンシート、スプリング、フックチューブ、ロープセットを包含し、
該ロック体は、ロック芯、ロックケース及びロックコントロールセットで構成され、該ロック芯内部にロックコントロールルームが設けられ、該ロックコントロールセットが収容され、該ロック芯は該ロックケースの収容室に収容され、該ロック芯の前側に駆動棒が設けられ、
該ガイドシートは、その一側に嵌め溝が設けられて、該ロック芯の駆動棒が嵌め込まれ、該ガイドシートの別側中央に凸柱が設けられ、該凸柱の両側にそれぞれ第１円弧形斜面が設けられ、
該ロックタンシートは、その一側よりロックタンが延伸され、該ロックタンシートの別側にシートが設けられ、該シートは中空収容室を具え、該中空収容室の中央にさらに凹孔が凹設されて、該ガイドシートの凸柱が嵌め込まれ、該中空収容室の周縁に、二つの互いに対応する第２支持部が設けられ、
該スプリングは、該ロックタンシートのロックタンに嵌合され、
該フックチューブは、その一側に前柱が設けられ、該前柱の外側面の端縁より外向きにフック部が延伸され、該フックチューブの別側に収容空間が凹設され、該フックチューブの収容空間の底部に貫通孔が穿たれ並びにロックタンが突き出し、該フックチューブの収容空間に該スプリング、該ロックタンシート及び該ガイドシートが収容され、
該ロープセットはリングシートにロープが接続されてなり、該リングシートに孔が設けられて該リングシートが該フックチューブの本体周囲に嵌合されたことを特徴とする、コンピュータロック。
【請求項２】
請求項１記載のコンピュータロックにおいて、該フックチューブの本体の端面に軟質パッドが貼り付けられたことを特徴とする、コンピュータロック。
【請求項３】
請求項１記載のコンピュータロックにおいて、該前柱の内側面にガイド溝が設けられて、該ロックタンシートの内側面に設けられたガイドリブがスライド可能に係合されたことを特徴とする、コンピュータロック。
【請求項４】
請求項１記載のコンピュータロックにおいて、該ロックタンの外側面の前端に円弧形面取り部が設けられたことを特徴とする、コンピュータロック。
【請求項５】
請求項１記載のコンピュータロックにおいて、該フックチューブの本体に係合溝が設けられ、Ｃ形スナップリングが係合されたことを特徴とする、コンピュータロック。
【請求項６】
請求項１記載のコンピュータロックにおいて、該ロックケースの周縁にさらに少なくとも一つの第１ピン孔が設けられて、少なくとも一つのピンが挿入されることを特徴とする、コンピュータロック。
【請求項７】
請求項１記載のコンピュータロックにおいて、該フックチューブの周縁に少なくとも一つの第２ピン孔が設けられたことを特徴とする、コンピュータロック。
【考案の詳細な説明】
【技術分野】
【０００１】
本考案は一種のコンピュータロックに係り、特に、ロック操作が簡単であるコンピュータロックであって、ロックに便利で盗難防止を達成するものに関する。
【背景技術】
【０００２】
コンピュータの使用が普及するにつれ、公共の場所、例えば図書館、コーヒーショップ、オフィス、会議室などで、ノートブック型コンピュータが使用されるようになった。しかし、この貴重な電子装置は、自身がファームウェアであるほか、その内部のアクセスに供されるデータは価値を図ることができない。これらのデータは往々にして使用者が心血を注いで長年かけて築き上げたエッセンスであり、一旦ノートブック型コンピュータ（或いはコンピュータ）が盗まれると、計り知れない莫大な損失と作業上の不便がもたらされる。特に、公共の場所では、使用者が数分間席を離れたすきに、盗難の危険に曝される。このため、市場には各種のコンピュータロックの製品があり、これにより使用者がコンピュータの盗難の発生を防止できる。これらのコンピュータロックの多くは特許で保護され、例えば、特許文献１及び２（以下、前案と称する）がある。
【０００３】
上述の前案は、そのロック動作は、ロック体前端の横向き部品（ｃｒｏｓｓｍｅｍｂｅｒ）１１をコンピュータ１０ケースの長方形の盗難防止孔（ｓｌｏｔ）１２内に挿入し（図１のとおり）、さらに、鍵を回して該横向き部品１１を駆動して９０度回転させて、それと盗難防止孔１２を垂直状態とし、並びに同時に一対の平行なピン（ｐｉｎ）１３を駆動して該横向き部品１１の両側を挟持させ、これによりロックの目的を達成する（図２のとおり）。
【０００４】
しかし、これらの前案の構造は、盗難防止効果を達成できるものの、以下のような問題も有している。
１．使用者は片手でロック体を握持し、並びに該横向き部品１１を該盗難防止孔１２に挿入した後、もう一方の手で鍵を回して該横向き部品１１を９０度回転させ、これにより該二つの平行なピン１３を前に伸出させ、該横向き部品１１の両側を挟持させる。回転の過程中に、該盗難防止孔１２において係止するものがないため、鍵を回転させる時に、ロック体と盗難防止孔１２の間で、垂直の位置を保持できない。斜めの状況が起こると、外に伸びたピン１３は該盗難防止孔１２外側に阻まれて進入できず、ロック不完全の状況が発生し、再度ロックし挿入角度を調整する必要が生じる。
２．ロック操作に慣れない者が上述の第１点の状況に遭遇すると、往々にして無理やりに内側に差し込むため、該盗難防止孔１２の孔縁が損傷しやすく、このためロック後に盗難防止孔１２の孔縁に比較的大きな隙間が発生し、こじ開けられる危険性が増す。
【先行技術文献】
【特許文献】
【０００５】
【特許文献１】米国特許第５，４９３，８７８号明細書
【特許文献２】米国特許第７，１００，４０３号明細書
【考案の概要】
【考案が解決しようとする課題】
【０００６】
これを鑑み、本考案者は前案の欠点を鑑み、無数の改良を重ねた後に、終に本考案のコンピュータロックを完成した。すなわち、本考案の目的は、ロック操作の容易なコンピュータロックを提供することで、ロックと盗難防止の便利さを達成することにある。
【０００７】
上述の本考案の目的を達成するため、コンピュータロックは、ロック体、ガイドシート、ロックタンシート、スプリング、フックチューブ、ロープセットを包含する。該フックチューブの前柱端縁より外向きにフック部が延伸され、該フック部はコンピュータの盗難防止孔の内側壁に係止、位置決めされ、並びにキーのロック動作により、該ガイドシートを駆動して該ロックタンシートのロックタンを案内してロックタンを前伸させて該フックチューブの前柱のガイド溝に沿って該盗難防止孔に進入させることで、ロックと盗難防止の便利さを達成する。
【課題を解決するための手段】
【０００８】
請求項１の考案は、コンピュータロックにおいて、ロック体、ガイドシート、ロックタンシート、スプリング、フックチューブ、ロープセットを包含し、
該ロック体は、ロック芯、ロックケース及びロックコントロールセットで構成され、該ロック芯内部にロックコントロールルームが設けられ、該ロックコントロールセットが収容され、該ロック芯は該ロックケースの収容室に収容され、該ロック芯の前側に駆動棒が設けられ、
該ガイドシートは、その一側に嵌め溝が設けられて、該ロック芯の駆動棒が嵌め込まれ、該ガイドシートの別側中央に凸柱が設けられ、該凸柱の両側にそれぞれ第１円弧形斜面が設けられ、
該ロックタンシートは、その一側よりロックタンが延伸され、該ロックタンシートの別側にシートが設けられ、該シートは中空収容室を具え、該中空収容室の中央にさらに凹孔が凹設されて、該ガイドシートの凸柱が嵌め込まれ、該中空収容室の周縁に、二つの互いに対応する第２支持部が設けられ、
該スプリングは、該ロックタンシートのロックタンに嵌合され、
該フックチューブは、その一側に前柱が設けられ、該前柱の外側面の端縁より外向きにフック部が延伸され、該フックチューブの別側に収容空間が凹設され、該フックチューブの収容空間の底部に貫通孔が穿たれ並びにロックタンが突き出し、該フックチューブの収容空間に該スプリング、該ロックタンシート及び該ガイドシートが収容され、
該ロープセットはリングシートにロープが接続されてなり、該リングシートに孔が設けられて該リングシートが該フックチューブの本体周囲に嵌合されたことを特徴とする、コンピュータロックとしている。
請求項２の考案は、請求項１記載のコンピュータロックにおいて、該フックチューブの本体の端面に軟質パッドが貼り付けられたことを特徴とする、コンピュータロックとしている。
請求項３の考案は、請求項１記載のコンピュータロックにおいて、該前柱の内側面にガイド溝が設けられて、該ロックタンシートの内側面に設けられたガイドリブがスライド可能に係合されたことを特徴とする、コンピュータロックとしている。
請求項４の考案は、請求項１記載のコンピュータロックにおいて、該ロックタンの外側面の前端に円弧形面取り部が設けられたことを特徴とする、コンピュータロックとしている。
請求項５の考案は、請求項１記載のコンピュータロックにおいて、該フックチューブの本体に係合溝が設けられ、Ｃ形スナップリングが係合されたことを特徴とする、コンピュータロックとしている。
請求項６の考案は、請求項１記載のコンピュータロックにおいて、該ロックケースの周縁にさらに少なくとも一つの第１ピン孔が設けられて、少なくとも一つのピンが挿入されることを特徴とする、コンピュータロックとしている。
請求項７の考案は、請求項１記載のコンピュータロックにおいて、該フックチューブの周縁に少なくとも一つの第２ピン孔が設けられたことを特徴とする、コンピュータロックとしている。
【考案の効果】
【０００９】
本考案は片側を盗難防止孔の内壁面に係止する設計を利用し、ロック操作の際にコンピュータケースの近くで行え、周知の挿入角度が歪んでロック操作に影響が生じる欠点を克服し、簡単にロック及び盗難防止の効果を達成できる。
【図面の簡単な説明】
【００１０】
【図１】周知のコンピュータロックのロック表示図（一）である。
【図２】周知のコンピュータロックのロック表示図（二）である。
【図３】本考案の立体分解図である。
【図４】本考案の立体図である。
【図５】本考案のロックケースの立体図である。
【図６】本考案のガイドシートの立体図である。
【図７】本考案のロックタンシートの立体図である。
【図８】本考案のフックチューブの立体図である。
【図９】本考案の操作表示図（一）である。
【図１０】本考案の操作表示図（二）である。
【考案を実施するための形態】
【００１１】
図３、４に示されるように、本考案のコンピュータロックＡは、ロック体２、ガイドシート３、ロックタンシート４、スプリング５、フックチューブ６、ロープセット７を包含し、上述の部品で構成することにより、コンピュータロックに盗難防止機能を設ける。
【００１２】
該ロック体２は、ロック芯２１、ロックケース２２及びロックコントロールセット２３で構成される。
【００１３】
該ロック芯２１の内部にロックコントロールルーム２１０が設けられて、該ロックコントロールセット２３が収納され、該ロック芯２１は、該ロックケース２２の収容室２２０内に収容され、並びにリミットリングＢにより該ロック芯２１の回転の位置が制限される（図５、図９参照）。該ロック芯２１の前側に、さらに駆動棒２１１が設けられ、且つ該ロック芯２１の周囲に別にスリット２１２が設けられ、リミットリングＢが該スリット２１２に嵌め込まれ並びに該ロックコントロールセット２３を制限する。
【００１４】
該ロックケース２２の一側に鍵孔２２１が設けられ、該鍵孔２２１は鍵Ｋを挿入して、該ロックコントロールセット２３のロック、アンロックの動作を制御するのに供される。且つ該ロックケース２２の周囲には少なくとも一つの第１ピン孔２２２が設けられ、少なくとも一つのピン２２３の挿入に供される。
【００１５】
該ロックコントロールセット２３は複数のロックシート２３１及び複数のリミットシート２３２が配列されてなる（以上に述べるロック体２構造及びその動作は周知の既存の技術であり、本考案の技術特徴があるところではないので、多くを述べない）。
【００１６】
該ガイドシート３（図６も参照されたい）は、その一側に、嵌め溝３１が設けられ、該ロック芯２１の駆動棒２１１が嵌め込まれ、該ガイドシート３の別側中央に凸柱３０が設けられ、該凸柱３０の両側にそれぞれ第１円弧形斜面３２が設けられ、並びにこれらの二つの第１円弧形斜面３２の二つの接続部分に、それぞれ第１支持部３２２が形成されている。
【００１７】
該ロックタンシート４は、図７に示されるように、一側よりロックタン４１が延伸され、該ロックタン４１の外側面４１０の前端に円弧形面取り部４１１が設けられ、該ロックタン４１の内側面４１２にガイドリブ４１３が設けられ、且つ該ロックタンシート４の別側にシート４２が設けられ、該シート４２は中空収容室４２０を具え、該中空収容室４２０の中央に凹孔４２３が凹設されて、該ガイドシート３の凸柱３０が嵌め込まれる。
【００１８】
該中空収容室４２０の周囲に、さらに二つの互いに対応する第２円弧形斜面４２１が開設され、並びにこれらの二つの第２円弧形斜面４２１の二つの接続部分に、それぞれ第２支持部４２２が形成され、該第２支持部４２２は該ガイドシート３の第１円弧形斜面３２上に当接する。
【００１９】
該スプリング５は該ロックタンシート４のロックタン４１に嵌合され、該フックチューブ６とロックタンシート４の間で動作する。
【００２０】
該フックチューブ６は、図８を参照されたいが、その本体６０の一側に前柱６１が設けられ、該前柱６１の外側面６１０の端縁より外向きにフック部６１１が延伸され、該前柱６１の内側面６１２にさらにガイド溝６１３が設けられて、該ロックタンシート４のガイドリブ４１３の係合及びスライドに供される。
【００２１】
該フックチューブ６の本体６０には係合溝６０１が設けられ、Ｃ形スナップリングＣが係合され、別に該フックチューブ６の別側に収容空間６３が凹設され、該収容空間６３の底部に貫通孔６０２が穿たれて、該ロックタン４１が突き出し、該収容空間６３は該スプリング５、ロックタンシート４及びガイドシート３をその内部に収容し、並びに該フックチューブ６の周囲に少なくとも一つの、該第１ピン孔２２２に対応する第２ピン孔６２が設けられ、該第２ピン孔６２は該フックチューブ６を該ロックケース２２内に収容した時に、該ピン２２３を挿入して固定するのに供される。
【００２２】
該ロープセット７は、リングシート７１にロープ７２が接続されてなり、該リングシート７１に孔７１１が設けられ、該リングシート７１が該フックチューブ６の本体６０の周囲に嵌合され、且つ該リングシート７１の周囲にさらに嵌合シート７１２が設けられ、該嵌合シート７１２に嵌合孔７１３が設けられ、該ロープ７２の一端の固定ヘッド７２１が嵌め込まれて固定される。該ロープ７２の別端は結束ブロック７３で固定され、並びに輪７２２が形成され（図４のとおり）、並びに該ロープ７２に固定バンド７４が嵌合され、該固定バンド７４は該ロープ７２を他の位置決め可能な物品、例えばテーブルの足、柱に固定して、該ロープ７２が絡まるのを防止するのに用いられる。
【００２３】
上述の本考案のコンピュータロックＡは、そのうち、該フックチューブ６の本体６０の端面６０３に軟質パッド８を貼り付けることができ、これにより該コンピュータロックＡとコンピュータケース９表面９３の間の接触摩擦を減らし、それを緊密に該コンピュータケース９の表面９３に当接させられる。
【００２４】
図９に示されるように、本考案のコンピュータロックＡでコンピュータをロックする時は、フックチューブ６の前柱６１を該コンピュータケース９の盗難防止孔９１に挿入し、並びに該前柱６１のフック部６１１の片側を該盗難防止孔９１の孔縁の内壁面９２に係止し位置決めする。
【００２５】
さらに、鍵Ｋで該ガイドシート３を１８０度回転させて、該ロックタンシート４の第２支持部４２２を該第１円弧形斜面３２の最低部３２１の位置より、該第１円弧形斜面３２に沿って移動回転させて、該第１支持部３２２の位置に至らせる。このとき、スプリング５は圧迫されて圧縮状態を呈し、該ロックタン４１もまた該ガイド溝６１３に沿って移動し外に伸びて貫通孔６０２より突き出て、並びに該盗難防止孔９１に進入する（図１０）。
【００２６】
該ロックタン４１の端縁は円弧形面取り部４１１を有するため、該ロックタン４１１を案内して盗難防止孔９１に進入するのを助け、これにより盗難防止孔９１への進入の抵抗が減らされ、ロック操作を完成できる。
【００２７】
コンピュータロックＡを取り外したい時は、鍵Ｋを鍵孔２２１に差込み、並びに反対方向に回転させ、該ガイドシート３を駆動して反対方向に１８０度回転させ、これにより該ロックタンシート４の第２支持部４２２を駆動して第１円弧形斜面３２に沿って案内して最低部３２１に至らせ、これと同時に、スプリング５は圧迫から開放されるため、その弾力を回復して該ロックタンシート４を押して後退させ、ロックタン４１を該盗難防止孔９１より退出させた後、さらに前柱６１のフック部６１１を移動させ、並びに盗難防止孔９１に対する係止を解除させ、こうしてアンロック、取り外しの操作を完成する。
【００２８】
総合すると、本考案は片側を盗難防止孔の内壁面に係止する設計を利用し、ロック操作の際にコンピュータケースの近くで行え、周知の挿入角度が歪んでロック操作に影響が生じる欠点を克服し、簡単にロック及び盗難防止の効果を達成できる。
【００２９】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００３０】
１０  コンピュータ                  １１  横向き部品
１２  盗難防止孔                    １３  ピン
Ａ  コンピュータロック              Ｋ  鍵
２  ロック体                        ２１  ロック芯
２１０  ロックコントロールルーム    ２１１  駆動棒
２１２  スリット                    ２１３  リミットブロック
Ｂ  リミットリング                  ２２  ロックケース
２２０  収容室                      ２２１  鍵孔
２２２  第１ピン孔                  ２２３  ピン
２３  ロックコントロールセット      ２３１  ロックシート
２３２  リミットシート              ３  ガイドシート
３０  凸柱                          ３１  嵌め溝
３２  第１円弧形斜面
３２２  第１支持部                  ４  ロックタンシート
４１  ロックタン                    ４１１  円弧形面取り部
４２  シート                        ４２０  中空収容室
４２１  第２円弧形斜面              ４２２  第２支持部
４２３  凹孔                        ５  スプリング
６  フックチューブ                  ６０  本体
６０１  係合溝                      ６０２  貫通孔
６０３  端面                        ６１  前柱
６１０  外側面                      ６１１  フック部
６１２  内側面                      ６１３  ガイド溝
６２  第２ピン孔                    ６３  収容空間
７  ロープセット                    ７１  リングシート
７１１  孔                          ７１２  嵌合シート
７１３  嵌合孔                      ７２  ロープ
７２１  固定ヘッド                  ７２２  輪
７３  結束ブロック                  ７４  固定バンド
８  軟質パッド                      Ｃ  Ｃ形スナップリング
９  コンピュータケース              ９１  盗難防止孔
９２  内壁面                        ９３  表面
【図１】
0003168275.tif 000003
【図２】
0003168275.tif 000004
【図３】
0003168275.tif 000005
【図４】
0003168275.tif 000006
【図５】
0003168275.tif 000007
【図６】
0003168275.tif 000008
【図７】
0003168275.tif 000009
【図８】
0003168275.tif 000010
【図９】
0003168275.tif 000011
【図１０】
0003168275.tif 000012